(57)【特許請求の範囲】
【請求項１】
第一釦、第二釦及び第三釦が設置され、前記第一釦、前記第二釦及び前記第三釦のそれぞれに対応した接点が形成された基板と、
前記基板を収納すると共に少なくとも一つの窓部を有するケースと、
前記ケースに取り付けられるキートップと、を備え、
前記キートップを押圧操作することで、前記第一釦、前記第二釦及び前記第三釦のいずれかに対応した接点が閉成され、使用者の押圧操作を検出可能とした操作入力装置であって、
前記第一釦、前記第二釦及び前記第三釦が、前記窓部の一つと対向しており、
前記キートップは、前記ケースに設けられた窓部から前記ケース内に進入することで前記第一釦を押すための押し部が形成されたプッシュキートップと、前記ケースに設けられた窓部から前記ケース内に進入することで前記第二釦又は前記第三釦を押すための押し部がそれぞれ形成されたシーソーキートップとが準備されており、
前記プッシュキートップと前記シーソーキートップとを選択して前記ケースに対して固定可能であることを特徴とする操作入力装置。
【請求項２】
前記キートップは、
前記第一釦、前記第二釦及び前記第三釦に対向する前記ケース表面に沿って配置され、使用者が押圧操作することで前記第一釦、前記第二釦又は前記第三釦に近接するように変位する操作部と、
前記操作部から前記ケース表面に沿って突出し、固定手段によって前記ケースに対して固定される支持部と、
を備えたことを特徴とする請求項１に記載の操作入力装置。
【請求項３】
前記固定手段は、前記ケース表面に形成され、前記支持部を嵌めこみ可能な形状に形成された溝部と、前記支持部の上から前記ケースに取り付けられる板部材とによって構成されることを特徴とする請求項２に記載の操作入力装置。
【請求項４】
前記キートップには、当該キートップを前記ケースに取り付けるための取付用フックが形成され、
前記ケースには、前記取付用フックを係合するための係合孔が形成されたことを特徴とする請求項２又は請求項３に記載の操作入力装置。
【請求項５】
前記支持部は、使用者が前記操作部を押圧すると撓み変形し、使用者による押圧が解除されると撓みが復元することを特徴とする請求項２から４のいずれか１つに記載の操作入力装置。
【請求項６】
前記支持部は、前記操作部の上端の左右側から延出する一対のアーム部であることを特徴とする請求項２から５のいずれか１つに記載の操作入力装置。
【発明の詳細な説明】
【技術分野】
【０００１】
本発明は、トイレルーム壁面などに配置される操作入力装置に関する。
【背景技術】
【０００２】
従来、トイレルームに設置された衛生洗浄装置に備わる種々の機能を遠隔操作によって作動させるために、トイレルーム壁面などに操作入力装置（リモコンセット）が配置されている（特許文献１参照）。
【０００３】
このような操作入力装置によって操作される機能数は、衛生洗浄装置の多様化・多品番化に伴い増加している。そして従来、オンオフの操作入力を行うためのプッシュキートップと、調整等の操作入力を行うためのシーソーキートップとを選択して使用することにより機能数を増減させる方法が採られていた。
【先行技術文献】
【特許文献】
【０００４】
【特許文献１】特開２００５−２０４２７１号公報
【発明の概要】
【発明が解決しようとする課題】
【０００５】
しかしながら、従来の操作入力装置では、プッシュキートップを設ける際には、プッシュキートップに対応する基板及びケースが必要であり、シーソーキートップを設ける際には、シーソーキートップに対応する基板及びケースが必要であった。また、操作入力装置によって操作される機能数は、衛生洗浄装置の製品品番毎に異なっていた。
【０００６】
すなわち、衛生洗浄装置の製品品番毎に、専用の基板及びケースを設計・組立・準備していた。そのため、同一の操作入力装置を異なる製品品番の衛生洗浄装置に流用することができず、それぞれの衛生洗浄装置に対応する操作入力装置毎に在庫を持たなければならなかった。このことは、設計コスト・制作コスト・在庫保有コストとして多大なデメリットやリスクを内包していた。
【０００７】
本発明は、上記のような事情に鑑みてなされたものであって、基板及びケースの共通化を図ることで異なる製品品番の衛生洗浄装置に対しても流用可能な操作入力装置を提供することを目的とする。
【課題を解決するための手段】
【０００８】
本発明に係る操作入力装置は、第一釦、第二釦及び第三釦が設置され、前記第一釦、前記第二釦及び前記第三釦のそれぞれに対応した接点が形成された基板と、前記基板を収納すると共に少なくとも一つの窓部を有するケースと、前記ケースに取り付けられるキートップと、を備え、前記キートップを押圧操作することで、前記第一釦、前記第二釦及び前記第三釦のいずれかに対応した接点が閉成され、使用者の押圧操作を検出可能とした操作入力装置であって、前記第一釦、前記第二釦及び前記第三釦が、前記窓部の一つと対向しており、前記キートップは、前記ケースに設けられた窓部から前記ケース内に進入することで前記第一釦を押すための押し部が形成されたプッシュキートップと、前記ケースに設けられた窓部から前記ケース内に進入することで前記第二釦又は前記第三釦を押すための押し部がそれぞれ形成されたシーソーキートップとが準備されており、前記プッシュキートップと前記シーソーキートップとを選択して前記ケースに対して固定可能である。これにより、ケースに取り付けるキートップを、プッシュキートップとシーソーキートップとの間で切り替えるだけで、オンオフ等の操作入力と調整等の操作入力の切り替えが可能である。また、操作入力装置に用いられる基板及びケースの共通化を図ることができる。
【０００９】
また、本発明に係る操作入力装置においては、好ましくは、前記キートップは、前記第一釦、前記第二釦及び前記第三釦に対向する前記ケース表面に沿って配置され、使用者が押圧操作することで前記第一釦、前記第二釦又は前記第三釦に近接するように変位する操作部と、前記操作部から前記ケース表面に沿って突出し、固定手段によって前記ケースに対して固定される支持部と、を備える。これにより、プッシュキートップやシーソーキートップの形状を共通化した場合でも、操作感を損なうことがない構成にすることができる。
【００１０】
また、本発明に係る操作入力装置においては、好ましくは、前記固定手段は、前記ケース表面に形成され、前記支持部を嵌めこみ可能な形状に形成された溝部と、前記支持部の上から前記ケースに取り付けられる板部材とによって構成される。これにより、支持部をケースに取り付けた後の操作入力装置の前出寸法を最小限に抑えることができる。
【００１１】
また、本発明に係る操作入力装置においては、好ましくは、前記キートップには、当該キートップを前記ケースに取り付けるための取付用フックが形成され、前記ケースには、前記取付用フックを係合するための係合孔が形成される。これにより、取付用フックの長さを変えることでキートップのストローク量を決めることができる。すなわち、使用者が操作部を操作した際に、適正な操作感が得られるようなストローク量を規定することができる。
【００１２】
また、本発明に係る操作入力装置においては、好ましくは、前記支持部は、使用者が前記操作部を押圧すると撓み変形し、使用者による押圧が解除されると撓みが復元する。これにより、使用者の押圧時にのみ必要な接点を閉成して操作入力することができる。よって、操作部にバネ等の部材を別途設ける必要がなく、構造を簡素化することができる。
【００１３】
また、本発明に係る操作入力装置においては、好ましくは、前記支持部は、前記操作部の上端の左右側から延出する一対のアーム部である。これにより、キートップの塗装を行う際に、アーム部をハンガー等に引っ掛けることができるので、塗装の工程を簡素化することができる。
【発明の効果】
【００１４】
本発明によれば、基板及びケースの共通化を図ることで異なる製品品番の衛生洗浄装置に対しても流用可能な操作入力装置を提供することができる。
【図面の簡単な説明】
【００１５】
【図１】本実施形態に係る操作入力装置の概略斜視図である。
【図２】本実施形態に係る操作入力装置の部品構成例を示す斜視図である。
【図３】本実施形態に係る操作入力装置を構成する基板を正面から見た図である。
【図４Ａ】本実施形態に係るプッシュキートップの一例を示す正面図である。
【図４Ｂ】本実施形態に係るプッシュキートップの一例を示す背面図である。
【図５Ａ】本実施形態に係るシーソーキートップの一例を示す正面図である。
【図５Ｂ】本実施形態に係るシーソーキートップの一例を示す背面図である。
【図６】本実施形態に係るキートップの取付構造の一例を示す図である。
【図７Ａ】本実施形態に係るキートップの支持部の動作例を示す図である。
【図７Ｂ】本実施形態に係るキートップの支持部の動作例を示す図である。
【図８】本実施形態に係るプッシュキートップの動作例の説明図である。
【図９】本実施形態に係るシーソーキートップの動作例の説明図である。
【発明を実施するための形態】
【００１６】
本発明に係る操作入力装置は、第一釦、第二釦及び第三釦が設置され、第一釦、第二釦及び第三釦のそれぞれに対応した接点が形成された基板と、基板を収納するケースと、ケースに取り付けられるキートップと、を備え、キートップを押圧操作することで、第一釦、第二釦及び第三釦のいずれかに対応した接点が閉成され、使用者の押圧操作を検出可能とした操作入力装置であって、キートップは、ケースに設けられた窓部から前記ケース内に進入することで第一釦を押すための押し部が形成されたプッシュキートップと、ケースに設けられた窓部から前記ケース内に進入することで第二釦又は第三釦を押すための押し部がそれぞれ形成されたシーソーキートップとが準備されており、プッシュキートップとシーソーキートップとを選択してケースに対して固定可能である。これにより、異なる製品品番の衛生洗浄装置に対しても流用可能な操作入力装置を実現するものである。以下、本発明の実施の形態を説明する。
【００１７】
なお、本実施形態に係る操作入力装置は、衛生洗浄装置の遠隔操作用として、トイレルーム壁面に取付けて使用することから、本願明細書においては、壁面に取付けた状態の操作入力装置の上側を天面、壁面に相対する面を背面、壁面の反対側に位置する面を正面として説明する。
【００１８】
［操作入力装置の概要］
図１は、本実施形態に係る操作入力装置の概略斜視図である。
【００１９】
図１に示すように、操作入力装置１は、基板２、プッシュキートップ３、シーソーキートップ４、ダミーキートップ５、正面プレート６、天面釦７、天面ダミー釦８、天面プレート９、赤外線送信部１０を有する構成である。この操作入力装置１の背面には、トイレルーム壁面に取付けられたハンガーに着脱自在に取り付けるための溝状の取付け部（不図示）が例えば左右端側に１つずつ設けられている。
【００２０】
以上に示す操作入力装置１は、使用者がオンオフの操作入力を行うためのプッシュキートップ３と、使用者が調整等の操作入力を行うためのシーソーキートップ４とを備える。図１に示す例では、２個のプッシュキートップ３の各々によって、使用者は各種動作の停止指示や洗浄ノズルをきれいにする指示を入力することができる。一方、４個のシーソーキートップ４の各々によって、使用者はおしり洗浄かやわらか洗浄かを切替えたり、ビデ洗浄かワイドビデ洗浄かを切替えたり、水勢の強弱を調整したり、洗浄位置を調整したりすることができる。
【００２１】
なお、本実施形態に係る操作入力装置１によれば、基板２は共通化されているため、異なる製品品番の衛生洗浄装置に対しても流用可能である。また、プッシュキートップ３、シーソーキートップ４を、操作入力装置１の実現すべき機能内容や機能数に応じて適宜選択して配置可能となっている。
【００２２】
例えば操作入力装置１の実現すべき機能が１個のプッシュキートップ３及び５個のシーソーキートップ４の計６個のキートップを要する場合には、一番右のプッシュキートップ３をシーソーキートップ４に置き換え、基板２に対して外部からプログラムを書き込むことによって、各キートップ３、４に対応する操作入力装置１の動作を変更するだけで良い。
【００２３】
［操作入力装置の部品構成］
図２は、本実施形態に係る操作入力装置の部品構成例を示す斜視図である。図３は、本実施形態に係る操作入力装置を構成する基板を正面から見た図である。
【００２４】
図２では、図１に示す基板２、プッシュキートップ３、シーソーキートップ４、ダミーキートップ５、正面プレート６、天面釦７、天面ダミー釦８、天面プレート９を分解した部品構成を斜視図で示している。
【００２５】
基板２は、使用者による操作入力に応じて衛生洗浄装置を動作させるための指示情報を生成する回路が形成された基板である。この基板２において生成された指示情報は、赤外線送信部１０を介して衛生洗浄装置に送られる。
【００２６】
この基板２は、プッシュキートップ３、シーソーキートップ４を取り付けるための複数のキートップ取付部２２が表面に形成されたケース２１に収納されている。各キートップ取付部２２は、溝部２３と、窓部２４とを組み合わせて構成される。
【００２７】
なお、窓部２４の背面側には、図２や図３に示すように、第一釦２５Ａ、この第一釦２５Ａを挟むように設置される第二釦２５Ｂ、第三釦２５Ｃが設けられ、これら第一釦２５Ａ、第二釦２５Ｂ、第三２５Ｃのそれぞれに対応した接点が基板２上に形成されている。このように、第一釦２５Ａを挟むように第二釦２５Ｂ及び第三釦２５Ｃが設置され、且つそれらの釦が直線に並んで配置されていることにより、操作性を良くすることができる。但し、図２や図３に示す一番左側の窓部２４の背面側には、第一釦２５Ａのみが設置され、第一釦２５Ａに対応した接点のみが基板２上に形成されている。これら第一釦２５Ａ〜第三釦２５Ｃは例えばタクトスイッチ（登録商標）であり、第一釦２５Ａ〜第三釦２５Ｃへの水の浸入を防ぐため、これら第一釦２５Ａ〜第三釦２５Ｃを覆うようにゴム等のカバー部材を設けることが好ましい。
【００２８】
溝部２３は、ケース２１表面に形成され、プッシュキートップ３の支持部３２やシーソーキートップ４の支持部４２を嵌め込み可能な形状に形成された凹部である。
【００２９】
一方、窓部２４は、貫通孔２４Ａ、２４Ｂ、係合孔２４Ｃを含む。貫通孔２４Ａは、プッシュキートップ３の背面に形成された押し部３５（図４Ｂ参照）が挿通可能に形成された挿入孔である。この貫通孔２４Ａは、プッシュキートップ３の背面の上側２箇所に形成された取付用フック３６（図４Ｂ参照）や、シーソーキートップ４の背面の上側２箇所に形成された上側２箇所の取付用フック４６（図５Ｂ参照）と係合するための係合孔も兼ねている。これらの係合形態については後述する。
【００３０】
貫通孔２４Ｂは、シーソーキートップ４に形成された押し部４５Ａ、４５Ｂ（図５Ｂ参照）が挿通可能に形成された挿入孔である。但し、図２や図３に示す一番左側の窓部２４では、貫通孔２４Ｂは形成されていない。
【００３１】
一方、係合孔２４Ｃは、プッシュキートップ３の背面の下側２箇所に形成された取付用フック３６（図４Ｂ参照）やシーソーキートップ４の背面の下側２箇所に形成された取付用フック４６（図５Ｂ参照）と係合するための係合孔である。これらの係合形態については後述する。
【００３２】
以上に示すように、本実施形態に係る操作入力装置１では、プッシュキートップ３のみによって押圧可能な第一釦２５Ａと、シーソーキートップ４のみによって押圧可能な第二釦２５Ｂ及び第三釦２５Ｃが設けられている。また、使用者がプッシュキートップ３、シーソーキートップ４を押圧操作することで第一釦２５Ａ、第二釦２５Ｂ及び第三釦２５Ｃのいずれかに対応した接点が閉成され、使用者の押圧操作を検出可能としている。
【００３３】
プッシュキートップ３は、使用者がオンオフの操作入力を行うための操作手段である。図２に示す例では、２個のプッシュキートップ３がケース２１に取り付けられている。なお、図２や図３に示す１番左側のキートップ取付部２２は、各種動作の停止指示を行うためのプッシュキートップ３専用の取付部である。そのため、それ以外の５個のキートップ取付部２２において、プッシュキートップ３を例えば１個から５個の間で数を増減させてケース２１に対して取付け可能である。プッシュキートップ３の詳細形状については図４Ａ及び図４Ｂを用いて後述する。
【００３４】
シーソーキートップ４は、使用者が調整等の操作入力を行うための操作手段である。図２に示す例では、４個のシーソーキートップ４がケース２１に取り付けられている。なお、プッシュキートップ３と同様に、図２や図３に示す１番左側のキートップ取付部２２を除く５個のキートップ取付部２２において、シーソーキートップ４を例えば１個から５個の間で数を増減させてケース２１に対して取付け可能である。シーソーキートップ４の詳細形状については図５Ａ及び図５Ｂを用いて後述する。
【００３５】
ダミーキートップ５は、プッシュキートップ３やシーソーキートップ４の増減により生じる隙間を補うための略平板状の部材である。プッシュキートップ３、シーソーキートップ４及びこのダミーキートップ５によってケース２１の正面横方向全体が覆われるように、ダミーキートップ５の横長は適宜調整される。
【００３６】
なお、このダミーキートップ５の背面には、ケース２１に取り付けるための取付用フックは形成されるものの、第一釦２５Ａ〜第三釦２５Ｃを押し下げるための押し部は形成されない。そのため、使用者がダミーキートップ５を押下した場合であっても、第一釦２５Ａ〜第三釦２５Ｃは押圧されることがない。
【００３７】
正面プレート６は、上記のキートップ３、４、５がケース２１に取り付けられた状態で、この正面プレート６と基板２とによって支持部３２、４２を挟むように、ケース２１に取り付けられる板部材である。なお、この正面プレート６の表面には、配置されるキートップ３、４の機能に応じた図柄が印刷される。そのため、各キートップ３、４の配置や機能を切替えたとしても、正面プレート６に印刷される図を変更するだけで使用者に機能を報知することができる。
【００３８】
天面釦７は、使用者が各種操作を行うための操作手段である。各天面釦７は、使用者が押圧操作を行うための操作部７１と、操作部７１における押圧操作に応じて基板２に設けられた釦２６を押下する押し部７２とを備える。図２に示す例では、６個の天面釦７がケース２１に取り付けられているが、例えば１個から６個の間で数を増減させてケース２１に対して取付け可能としても良い。
【００３９】
天面ダミー釦８は、天面釦７の増減により生じる隙間を補うための部材である。天面釦７及び天面ダミー釦８によってケース２１の天面横方向全体が覆われるように、天面ダミー釦８の横長は適宜調整される。なお、この天面ダミー釦８は、基板２の天面に配置された各釦２６を押し下げるための押し部が形成されていない。
【００４０】
天面プレート９は、この天面プレート９と基板２とによって各天面釦７を挟むように、ケース２１に取り付けられる板部材である。なお、この天面プレート９は、前述の正面プレート６と同様、配置される天面釦７の機能に応じた図柄が印刷される。そのため、各天面釦７、天面ダミー釦８の配置や機能を切替えたとしても、天面プレート９に印刷される図を変更するだけで使用者に機能を報知することができる。
【００４１】
以上に示す構成により、本実施形態に係る操作入力装置１では、一番左側のキートップ取付部２２を除く５個のキートップ取付部２２において、プッシュキートップ３とシーソーキートップ４との組合わせを選択してケース２１に対して固定可能とすることにより、操作入力装置１により操作可能な機能数を増減可能に設定する構造を実現している。特に、プッシュキートップ３とシーソーキートップ４の両方を同じ位置で取付け可能であることを特徴としており、基板２、ケース２１、プッシュキートップ３、シーソーキートップ４、正面プレート６等を共通化している。また、プッシュキートップ３やシーソーキートップ４の形状を共通化した場合でも、操作感を損なうことがない構成にすることができる。
【００４２】
［プッシュキートップ］
図４Ａは、本実施形態に係るプッシュキートップの一例を示す正面図である。図４Ｂは、本実施形態に係るプッシュキートップの一例を示す背面図である。これら図４Ａ及び図４Ｂを用いてプッシュキートップ３の詳細形状について説明する。
【００４３】
図４Ａ及び図４Ｂに示すように、プッシュキートップ３は、正面から見て横長略矩形状で、且つ、中央全体が正面側に向かって凸型に形成された操作部３１と、操作部３１の上端の左右側から上方向に延出する一対のアーム部３２とを備えている。このプッシュキートップ３は、例えばＡＢＳ（Acrylonitrile Butadiene Styrene）によって形成される。
【００４４】
図４Ａに示すように、操作部３１の表面には、使用者が押圧操作するための操作領域３３が形成されている。この操作部３１の裏面には、図４Ｂに示すように、略中央上部において背面方向に向かって延出した略十字状の押し部３５が形成されている。使用者が操作領域３３を押圧操作すると、押し部３５が第一釦２５Ａ（図２参照）に近接するように変位する。
【００４５】
すなわち、押し部３５は、操作部３１の第一釦２５Ａから第三釦２５Ｃと対向する面において、ケース２１に設けられた窓部２４（図２参照）からケース２１内に進入することで第一釦２５Ａを押下するよう形成されている。そのため、押し部３５によって第二釦２５Ｂ及び第三釦２５Ｃが押圧されることはない。
【００４６】
また、操作部３１の裏面には、取付用フック３６が４箇所に突出して設けられている。この取付用フック３６は、プッシュキートップ３を貫通孔２４Ａ及び係合孔２４Ｃ（図２参照）に係合させることで固定するためのものである。なお、この取付用フック３６の長さを変えることで、プッシュキートップ３のストローク量を決めることができる。すなわち、使用者が操作部３１を操作した際に、適正な操作感が得られるようなストローク量を規定することができる。
【００４７】
アーム部３２は、操作部３１の略中央（第一釦２５Ａに相当する位置）を挟むように操作部３１の上端から上方向に延出する第一アーム部３２Ａと、第一アーム部３２Ａの上端から水平方向内側に延出するとともに、第一アーム部３２Ａよりも背面方向に幅厚に形成された第二アーム部３２Ｂと、第二アーム部３２Ｂの内側端部から下方に延出するとともに、第二アーム部３２Ｂと同一の厚みで形成された第三アーム部３２Ｃとを備える。
【００４８】
このアーム部３２は、ケース２１に形成された溝部２３（図２参照）に嵌め込まれ、その上から正面プレート６が取り付けられることによって固定される。
【００４９】
なお、本実施形態に係るプッシュキートップ３では、支持部としてのアーム部３２が、操作部３１の上端の左右側から延出する一対のアーム部であるように構成される。これにより、プッシュキートップ３を塗装する際に、一対のアーム部３２をハンガー等に引っ掛けることができるので、塗装の工程を簡素化することができる。
【００５０】
［シーソーキートップ］
図５Ａは、本実施形態に係るシーソーキートップの一例を示す正面図である。図５Ｂは、本実施形態に係るシーソーキートップの一例を示す背面図である。これら図５Ａ及び図５Ｂを用いてシーソーキートップ４の詳細形状について説明する。
【００５１】
図５Ａ及び図５Ｂに示すように、シーソーキートップ４は、正面から見て横長略矩形状で、且つ、中央全体が正面側に向かって凸型に形成された操作部４１と、操作部４１の上端の左右側から上方向に延出する一対のアーム部４２とを備えている。このシーソーキートップ４は、プッシュキートップ３と同様に、例えばＡＢＳによって形成される。
【００５２】
図５Ａに示すように、操作部４１の表面には、使用者が押圧操作するための操作領域４３Ａ、４３Ｂと、縦方向に所定長の凸部４４が形成されている。この操作部４１の裏面には、図５Ｂに示すように、左右において背面方向に向かって延出した略十字状の押し部４５Ａ、４５Ｂが形成されている。使用者が操作領域４３Ａを押圧操作すると、押し部４５Ａが第二釦２５Ｂ（図２参照）に近接するように変位する。一方、操作領域４３Ｂを押圧操作すると、押し部４５Ｂが第三釦２５Ｃ（図２参照）に近接するように変位する。
【００５３】
すなわち、押し部４５Ａ、４５Ｂは、操作部４１の第一釦２５Ａから第三釦２５Ｃと対向する面において、ケース２１に設けられた窓部２４（図２参照）からケース２１内に進入することでそれぞれ第二釦２５Ｂ、第三釦２５Ｃを押下するよう形成されている。そのため、押し部４５Ａ、４５Ｂによって第一釦２５Ａが押圧されることはない。
【００５４】
また、操作部４１の裏面には、プッシュキートップ３の取付用フック３６と同じ４箇所の位置に取付用フック４６が突出して設けられている。この取付用フック４６は、プッシュキートップ４を貫通孔２４Ａ及び係合孔２４Ｃ（図２参照）に係合させることで固定するためのものである。なお、この取付用フック４６の長さを変えることで、シーソーキートップ４のストローク量を決めることができる。すなわち、使用者が操作部４１を操作した際に、適正な操作感が得られるようなストローク量を規定することができる。
【００５５】
アーム部４２は、操作部４１の略中央（第一釦２５Ａに相当する位置）を挟むように操作部４１の上端の左右側から上方向に延出する第一アーム部４２Ａと、第一アーム部４２Ａの上端から水平方向内側に延出するとともに、第一アーム部４２Ａよりも背面方向に幅厚に形成された第二アーム部４２Ｂと、第二アーム部４２Ｂの内側端部から下方に延出するとともに、第二アーム部４２Ｂと同一の厚みで形成された第三アーム部４２Ｃとを備える。
【００５６】
このアーム部４２は、ケース２１に形成された溝部２３（図２参照）に嵌め込まれ、その上から正面プレート６が取り付けられることによって固定される。
【００５７】
なお、本実施形態に係るシーソーキートップ４では、プッシュキートップ３と同様に、支持部としてのアーム部４２が、操作部４１の上端の左右側から延出する一対のアーム部であるように構成される。これにより、プッシュキートップ４を塗装する際に、一対のアーム部４２をハンガー等に引っ掛けることができるので、塗装の工程を簡素化することができる。
【００５８】
以上図４Ａ、図４Ｂ、図５Ａ、図５Ｂを用いて説明してきたプッシュキートップ３とシーソーキートップ４とは互換性のある構造である。そのため、使用者はプッシュキートップ３とシーソーキートップ４とを選択してケース２１に対して固定可能である。よって、ケース２１に取り付けるキートップを、プッシュキートップ３とシーソーキートップ４との間で切り替えるだけで、オンオフ等の操作入力と調整等の操作入力の切り替えが可能である。そのため、基板２及びケース２１の共通化を図ることができる。
【００５９】
図６は、本実施形態に係るキートップの取付構造の一例を示す図である。図６では、本実施形態に係るシーソーキートップ４とケース２１との取付構造を図１の底面方向から見た断面図である。
【００６０】
図６に示すように、シーソーキートップ４に形成された各取付用フック４６には、外側に向かって爪部４６Ａが形成されており、この爪部４６Ａが係合孔２４Ｃの外側縁と係合する。これにより、シーソーキートップ４はケース２１に取り付けられる。なお、プッシュキートップ３についても同様である。これにより、シーソーキートップ４の操作領域４３Ａ、４３Ｂのいずれか一方が押下された場合であっても、他方の操作領域側の爪部４６Ａが係合孔２４Ｃに係合されたままであるので、他方の操作領域側が必要以上にケース２１から離間すること等を防止することができる。
【００６１】
図７Ａ及び図７Ｂは、本実施形態に係るキートップの支持部の動作例を示す図である。図７Ａでは、本実施形態に係るプッシュキートップ３が固定される構造を図１の側面方向から見た断面図である。
【００６２】
図７Ａでは、使用者が操作部３１を押圧していない状態を示している。図７Ｂでは、使用者が操作部３１を押圧している状態を示している。
【００６３】
図７Ａに示すように、プッシュキートップ３の支持部３２は、ケース２１表面に形成された溝部２３に嵌め込まれ、支持部３２の上から正面プレート６が取り付けられている。このように溝部２３に支持部３２を嵌め込むことによって、支持部３２をケース２１に取り付けた後の操作入力装置１の前出寸法を最小限に抑えることができる。
【００６４】
ここで使用者が操作部３１を押圧すると、図７Ｂに示すように、支持部３２の付け根部分、すなわち第一アーム部３２Ａと第二アーム部３２Ｂの境界部分から、第一アーム部３２Ａの長軸方向の途中に至るまでが撓み変形するとともに、操作部３１の裏面に形成された押し部３５が窓部２４からケース２１内に進入することで第一釦２５Ａを押下する。また、使用者が操作部３１の押圧を解除すると、図７Ａに示すように、支持部３２の撓み変形は復元する。
【００６５】
このように、本実施形態に係る操作入力装置１によれば、支持部３２のしなりを利用して、使用者による操作部３１の押圧時にのみ必要な接点を閉成して操作入力することができる。そのため、操作部３１にバネ等の弾性部材を別途設けることなく、構造を簡素化することができる。
【００６６】
図８は、本実施形態に係るプッシュキートップの動作例の説明図である。図８では、本実施形態に係るプッシュキートップ３が押圧された場合の様子を図１の底面方向から見た断面図である。
【００６７】
図８に示すように、プッシュキートップ３の操作部３１が押圧されると、操作部３１の裏面に形成された押し部３５が、ケース２１に設けられた窓部２４からケース２１内に進入することで第一釦２５Ａを押下する。これにより、プッシュキートップ３では第一釦２５Ａのみを押圧可能である。
【００６８】
図９は、本実施形態に係るシーソーキートップの動作例の説明図である。図９では、本実施形態に係るシーソーキートップ４の操作領域４３Ｂが押圧された場合の様子を図１の底面方向から見た断面図である。
【００６９】
図９に示すように、シーソーキートップ４の操作領域４３Ｂが押圧されると、操作部４１の裏面に形成された押し部４５Ｂが、ケース２１に設けられた窓部２４からケース２１内に進入することで第三釦２５Ｃを押下する。これにより、シーソーキートップ４では第三釦２５Ｃを押圧可能である。同様に、シーソーキートップ４では第三釦２５Ｂを押圧可能である。
【００７０】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【００７１】
例えば本実施形態では、図３に示すように、第一釦２５Ａを挟むように第二釦２５Ｂ及び第三釦２５Ｃが左右に配置された形態について説明してきたが、この場合には限らない。第一釦２５Ａを挟むように第一釦２５Ｂ及び第三釦２５Ｃを上下に配置しても良い。また、第一釦２５Ａ、第二釦２５Ｂ及び第三釦２５Ｃの３個の釦が設けられた形態について説明してきたが、この場合には限らない。例えば４個以上の釦を設け、各釦の配置や個数に応じてキートップの裏面形状を適宜設計変更しても良い。
【符号の説明】
【００７２】
１  操作入力装置
２  基板
３  プッシュキートップ
４  シーソーキートップ
６  正面プレート（板部材）
２１  ケース
２３  溝部
２４  窓部
２４Ａ  貫通孔（係合孔）
２４Ｂ  貫通孔
２４Ｃ  係合孔
２５Ａ  第一釦
２５Ｂ  第二釦
２５Ｃ  第三釦
３１、４１  操作部
３２、４２  アーム（支持部）
３５、４５Ａ、４５Ｂ  押し部
３６、４６  取付用フック
【図１】
0005630522.tif 000002
【図２】
0005630522.tif 000003
【図３】
0005630522.tif 000004
【図４Ａ】
0005630522.tif 000005
【図４Ｂ】
0005630522.tif 000006
【図５Ａ】
0005630522.tif 000007
【図５Ｂ】
0005630522.tif 000008
【図６】
0005630522.tif 000009
【図７Ａ】
0005630522.tif 000010
【図７Ｂ】
0005630522.tif 000011
【図８】
0005630522.tif 000012
【図９】
0005630522.tif 000013